(57)【要約】【課題】少ない力で指を動かすことができることを目指す。リハビリの必要な手を自分のもう一方の動く手でリハビリ体操を行えるようにする。または看護婦、家族にリハビリを手伝ってもらう場合にもより簡単に指の運動ができることを目指す。自分で手を動かせない人たちが咳、くしゃみなどで指や手首が曲がっていくのを予防する。【解決手段】滑りやすい紐を使用し、軽い力で一度に５本の指を曲げ動かし，放すと同時に伸びる。これを繰り返し行うことでリハビリになる。手のひら部分をカットしたので、はめ易く、第三者がはめてあげるのも容易です。またリハビリ行為以外の時間には曲がっていく手を２４時間伸ばしつづけてくれる。手のひらがカットしてあるので蒸れにくく１日中つけていることができる。手首、指の変形防止に役立つ。【選択図】      図１
0003115711.tif 000002
【実用新案登録請求の範囲】
【請求項１】
長めの手袋を２枚重ね間に芯を入れる。手の甲に当たる部分。芯の長さは指先から肘近くまで。芯は反動性のあるもの。反動性とは曲げてもすぐ元に戻ろうとするもの。以下反動性と呼ぶ。
反動性の芯の働きで指を曲げてもすぐ元に戻る。手首を曲げてもすぐにまっすぐになる。
【請求項２】
はめ易いように手袋の手のひらから手首までをカットした。従って蒸れにくく第３者が病人につけるときも容易に付けてあげられる。
【請求項３】
指先全部と手首内側の中心に固定したビーズにすべりの良い紐を通したことで一度に５本の指を曲げることができるようになった。
手首の紐を引っ張ると指が曲がり、放すと反動性のある芯でまっすぐ元に戻るように調節する。  リハビリ簡単手袋です。
【考案の詳細な説明】
【技術分野】
【０００１】本考案は長めの布手袋２枚を重ねて、その間の手の甲部分に指先から肘近くまで反動性のある芯を接着する。芯の材質はたとえばプラスチックやペットで下敷きなどに使用する比較的硬いもの。やわらかいものであれば３〜４枚重ねて使う。５本の指先全部と手首内側中心に木製等の穴のあいたビーズを付け、すべりの良い紐を通す。たとえば組紐など。手首のビーズに親指からと小指からの２本を通し余裕を持たせ結ぶ。余裕を持たせた部分に持ちやすいようにもう一つビーズを通しておく。紐を引っ張ると５本の指が曲がり、紐を放すと反動性のある芯の働きでまっすぐ元に戻る。リハビリを手伝う手袋である。
【考案の開示】
【考案が解決しようとする課題】
【０００２】動けない指をどのようにすれば簡単に繰り返し動かすことができるか。また、時間とともに変形する手首、指の変形予防。
【課題を解決するための手段】
【０００３】芯の材質に反動性のあるものを使用することで指を曲げてもすぐに、まっすぐ指を伸ばした状態を保てること。
また指先と手首中心につけたビーズにすべりの良い紐を通したことで一度に５本の指を曲げることができるようになった。紐を引っ張ることで指を曲げたり，紐を放して伸ばしたりできるようにした。
第３者がはめてあげられるように手のひらをカットしたので蒸れにくく、着脱が容易である。
指先から肘近くまでをカバーすることで、指と手首の変形予防になる。
手首と肘近くの２ヵ所で留めるので安定する。ベルトには簡易型結束バンドのようなものを使用する。
【考案の効果】
【０００４】楽に指を動かすことができれば、動かせるもう片方の手で自分でリハビリが行える。また介護者がリハビリの手伝いをする場合も簡単になる。
【産業上の利用可能性】
【０００５】病院、老人ホームまたは家庭で手が動けなくなった人のために、介護者や、病院、医療関係者が利用する。
【図面の簡単な説明】
【０００６】
【図１】  手につけたイメージ全体図，手のひら側から見た様子
【図２】  平面図、芯の部分
【図３】  平面図，手のひら側の部分
【図４】  平面図、手の甲側と腕のバンドに当たる部分
【図５】  断面拡大図。指先部分
【符号の説明】
【０００７】  １  芯、反動性のある少し硬めのもの
２  手袋の手のひら側の部分
３  手袋の手の甲側の部分
４  手首のベルト部分
５  腕部分
６  腕のベルト部分
７  木製のビーズ
８  すべりの良い紐
【図１】
0003115711.tif 000003
【図２】
0003115711.tif 000004
【図３】
0003115711.tif 000005
【図４】
0003115711.tif 000006
【図５】
0003115711.tif 000007
【手続補正書】
【提出日】平成17年7月27日(2005.7.27)
【手続補正１】
【補正対象書類名】実用新案登録請求の範囲
【補正対象項目名】全文
【補正方法】変更
【補正の内容】
【実用新案登録請求の範囲】
【請求項１】
長い布手袋２枚を重ね、その間に手の甲側で指先から肘近くまで反動性のある芯を入れる、反動性とは、曲げてもすぐもとに戻ろうとする力の強いもの、以下反動性と呼ぶ、反動性のある芯を入れたことを特徴とするリハビリ簡単手袋。
【請求項２】
手袋をはめ易いように、また蒸れないように手のひらから手首までをカットしたことを特徴とする請求項１記載のリハビリ簡単手袋。
【請求項３】
指先内側全部にビーズを固定し、そのビーズに滑りやすい紐を１本通す、手首内側中心にもビーズを固定し、通した紐の両端を手首のビーズにも腕側へ同じ方向に通し、余裕を持たせて紐の両端を結ぶ、余裕を持たせて結んだその中に持ちやすいようにもう一つのビーズを通す、紐を通したことを特徴とする請求項１のリハビリ簡単手袋。
【手続補正２】
【補正対象書類名】明細書
【補正対象項目名】全文
【補正方法】変更
【補正の内容】
【考案の詳細な説明】
【技術分野】
【０００１】本考案は長い布手袋２枚を重ねて、その間の手の甲側で指先から肘近くまで反動性のある芯を入れる。芯の素材はプラスチックやペットなどで学校で使用する下敷きのようなもので比較的硬いもの。やわらかい材質であれば３枚から４枚重ねて使用しても良い。この芯が手の変形防止に役立つ。
指先内側のビーズは木製の表面の滑らかなものを使用する。
すべりの良い紐は綿の組紐などで５本の指を通し、その両端を手首内側中心のビーズにも手から腕方向に通し、余裕を持たせて紐を結ぶ。その時手首のビーズと結び目の間に抜けてしまわないように、また持ちやすくなるように遊びのビーズを通しておく。遊びの部分のビーズをひっぱると指が全部曲がり、放すと反動性のある芯の力で指がまっすぐに戻る。
【考案の開示】
【考案が解決しようとする課題】
【０００２】着脱がよういであること。本人の負担を少しでも軽くするように曲がることもできる芯であること。いつもまっすぐになる芯であること。時間とともに変形していく手の変形予防ができること。
【課題を解決するための手段】
【０００３】芯の材質を反動性のあるものを使用すること。
指先と手首中心につけたすべり良い紐を通したことで５本一緒に指を曲げることができ、紐を放せば芯の働きで指がまっすぐに戻る。
手のひらを大きくカットしたので着脱が容易。
手首と肘近くの２箇所で留めるので手首を変形から守ってくれる。
手首と肘近くは簡易型結束バンドのようなものを使用する。
【考案の効果】
【０００４】自分で動かせない指を楽に動かすことができるようになる。また自然の指の変形防止になる。
【産業上の利用可能性】
【０００５】病院、老人ホームまたは家庭で、手が動けなくなった人のために、介護者や病院、医療関係者が利用する。
【図面の簡単な説明】
【０００６】
【図１】  つけたときの全体図、手のひら側からみた全体図
【図２】  平面図、芯の部分
【図３】  平面図、手のひら側の部分
【図４】  平面図、手の甲側と腕のバンドになる部分
【図５】  断面拡大図。指先部分
【符号の説明】
【０００７】  １  芯。反動性のある少し硬いもの
２  手袋の手のひら側の部分
３  手袋の手の甲側の部分
４  手首のベルト部分
５  腕部分
６  腕のベルト部分
７  木製のビーズ
８  すべりの良い紐
【手続補正３】
【補正対象書類名】図面
【補正対象項目名】全図
【補正方法】変更
【補正の内容】
【図１】
0003115711.tif 000008
【図２】
0003115711.tif 000009
【図３】
0003115711.tif 000010
【図４】
0003115711.tif 000011
【図５】
0003115711.tif 000012